(57)【特許請求の範囲】
【請求項１】
縦框３ｃ、上下框３ａ、３ｂ及び中框５からなる枠体３と該枠体３内に間隔を開けて設けられた鏡板４からなる少なくとも２枚の戸板２を前後開閉自在な蝶番７で連結してなる間仕切り用折り畳み扉１であって、前記中框５は左右の縦枠部材６ａと上下の横枠部材６ｂで囲まれた空間部ｓを有する開口枠６と、ほぼ中央部で屈曲し、屈曲部Ｄを有するクランク型仕切り板ｋからなり、前記縦枠部材６ａ、横枠部材６ｂには、それぞれ開口へ向かう手掛け部ｐを手掛かりとするに十分な深さで設けるとともに、前記仕切り板ｋを手掛け部ｐに固定し、前記縦枠部材６ａ、横枠部材６ｂに設けた前記手掛け部ｐと前記仕切り板ｋとその屈曲部Ｄに囲まれて、手掛かりとするに十分な深さの手掛け凹部ｍが扉の前後の両方から形成され、左右の縦枠部材６ａを縦框３ｃに固定し、前記手掛け部ｐを扉の前後どちらからでも３カ所としたことを特徴とする間仕切り用折り畳み扉。
【発明の詳細な説明】
【０００１】
【発明の属する技術分野】
本発明は住宅の間仕切り用に使用される折り畳み扉に関し、詳しくは開閉し易い手掛け付きの間仕切り用折り畳み扉に関するものである。
【０００２】
【従来の技術】
間仕切り用折り畳み扉は２枚の戸板を中央で蝶番によって連結し、該連結部で山折れ又は谷折れ方向に開閉可能な構造を有しており、両面に開閉のための手掛け部を設け、折り畳み扉のどちら側からでも開閉できる構造を有するものであり、扉の両面から開閉可能なように通常扉の両面に取手が設けてある。
【０００３】
取手がツマミ形式の取手で、扉表面から突出した構造のものである場合は、扉を折り畳んだ際に取手が扉表面にぶつかって扉開時の有効開口幅が狭くなって、使用状態において、人や物などの出入りに支障をきたすこととなる。
【０００４】
そこで、従来から、間仕切り用折り畳み扉においては、ツマミ形式の取手でなく例えば扉自体に手掛け部分を彫り込む等の加工を施し手掛け部分が扉表面から突出しないように工夫している。
【０００５】
しかし、扉厚みは薄くなると強度と反りの発生が問題となり、又逆に厚すぎてもコストと施工性で不利となることから通常約２５ｍｍ〜３５ｍｍであり、この程度の厚みの扉に両面から開閉のための手掛け部を設けようとすると、手掛け深さが最大でも約１２ｍｍ〜１４ｍｍ程度であり、浅すぎて指が掛かりにくく開閉しづらいといった問題点があった。
【０００６】
そこで、特開平１１−９３５２９号公報においては、ドアに凹部を設け該凹部の上縁部の一カ所に凹部から手掛かりを出没自在に設けることが開示されている。また、実開昭６０−８３８２号公報においては、図５の（イ）に示すようにドアの中間高さ位置に設けた上下水平部材に相対向する捕形をなすくりこみ溝を設けた前後開閉可能な折り畳み扉の手掛かり部が開示されている。
【０００７】
【発明が解決しようとする課題】
しかしながら、特開平１１−９３５２９号公報に開示されたドアは、片面使用の折り畳み扉についてのものであり、しかも出没自在とはいえ、ドアの閉時においても手掛かり部の一部が前面側に突出しており、突出による問題点を完全に解消したものではない。これを両面使用の折り畳み扉に応用しようとすると、手掛け部を奥側に押し込むため奥行きが不足するので引き出し距離を小さくせざるを得ず、開閉操作がしづらいといった問題がある。
【０００８】
さらに近年の本格的な高齢者社会の到来といった時流を考えると、特にお年寄りや体の不自由な人にとっては扉の開閉のために取手部分に手の指を掛ける動作ひとつをとってみても、不自由を覚える人が多く、特開平１１−９３５２９号公報の場合のように、手掛け部分がドアの凹部の上縁部等の１カ所に設けられている場合は、それだけでも開閉操作がしづらいものとなる。
【０００９】
また、実開昭６０−８３８２号公報に開示された手掛かり部は、図５の（イ）に示すように、くりこみ溝がドアを貫通しており、このくりこみ溝の開口空間から、隣室の音、光が直接漏れるため間仕切り扉には向かない構造である。これを防止するために図５の（ロ）に示すように、くりこみ溝の中央に空間部を塞ぐ仕切り板を設けても、今度は手掛け部分の深さが浅くなってしまうので、開閉操作がしづらいといった問題は解消できない。
【００１０】
本発明の目的は、お年寄りや体の不自由な人でも開閉し易く且つ扉の完全な開口を可能にする間仕切り用折り畳み扉を提供することにある。
【００１１】
【課題を解決するための手段】
上記目的を達成するために本発明にかかる間仕切り用折り畳み扉は、縦框３ｃ、上下框３ａ、３ｂ及び中框５からなる枠体３と該枠体３内に間隔を開けて設けられた鏡板４からなる少なくとも２枚の戸板２を前後開閉自在な蝶番７で連結してなる間仕切り用折り畳み扉１であって、前記中框５は左右の縦枠部材６ａと上下の横枠部材６ｂで囲まれた空間部ｓを有する開口枠６と、ほぼ中央部で屈曲し、屈曲部Ｄを有するクランク型仕切り板ｋからなり、前記縦枠部材６ａ、横枠部材６ｂには、それぞれ開口へ向かう手掛け部ｐを手掛かりとするに十分な深さで設けるとともに、前記仕切り板ｋを手掛け部ｐに固定し、前記縦枠部材６ａ、横枠部材６ｂに設けた前記手掛け部ｐと前記仕切り板ｋとその屈曲部Ｄに囲まれて、手掛かりとするに十分な深さの手掛け凹部ｍが扉の前後の両方から形成され、左右の縦枠部材６ａを縦框３ｃに固定し、前記手掛け部ｐを扉の前後どちらからでも３カ所としたことを特徴とする。
【００１２】
かかる構成から、仕切り板により扉前後での光や音の遮蔽ができ、空間部が広く且つ手掛け部が十分深いので、開閉操作がし易い間仕切り用折り畳み扉となる。また、中框を扉厚み内とすることにより扉表面から突出する部分がなくなり全面開扉ができるとともに、引っ掛かり部分がなくなるので安全である。更に中框の縦横枠部材にともに手掛け部を設ければ手掛かり部は扉のどちらからでも３カ所になり、お年寄りや体の不自由な人にとっても、安全で開閉し易い折り畳み扉とすることができる。
【００１３】
【発明の実施の形態】
以下、本発明に係る間仕切り用折り畳み扉の実施の形態の一例を図面により詳細に説明する。図１は本発明の間仕切り用折り畳み扉の一実施形態を示す正面図、図２は図１のＡ−Ａ線拡大断面図、図３は図１のＢ−Ｂ線の拡大断面図、図４の（イ）（ロ）（ハ）は本発明の仕切り板の一例を示す斜視図である。
【００１４】
本例に示す間仕切り用折り畳み扉１は、図１及びそのＡ−Ａ線拡大断面図である図２に示すように、上框３ａ、下框３ｂ、縦框３ｃ及び中框５からなる枠体３と、前記上框３ａ、下框３ｂ、縦框３ｃ及び中框５の内周面に施された鏡板溝に鏡板４の端部をはめ込んで構成された戸板２を蝶番７で左右２枚連結して、折り畳み自在に構成されている。
【００１５】
前記戸板２を構成する各部材は、基材として合板、ＬＶＬ、中比重繊維板又はそれらの複合材が最適であるが、これらに限定されるものではなく、これら以外の木質基材であってもよい。また、鋼板、アルミニウムなどの金属製、又は硬質塩ビ等の合成樹脂製であってもよい。また、戸板２の寸法サイズも通常の間仕切り用扉に用いられる寸法でよい。
【００１６】
また、表面化粧材も木質単板、塩ビシ−ト、紙製の化粧シ−ト等従来から有る化粧材料が使用できる。また、２枚の戸板２を連結する蝶番７も間仕切り用折り畳み扉に従来から使用されているタイプのものでよい。
【００１７】
前記戸板２の上下方向のほぼ中央付近の位置に水平方向に中框５が設けられている。前記中框５は、縦框３ｃ及び所定の間隔をあけて設けた２枚の鏡板４で囲まれており、図２に示すように仕切り板ｋには屈曲部Ｄが設けられ、該仕切り板ｋの片側面づつ両方の面から手掛け凹部ｍが設けられた構造となっている。前記手掛け凹部ｍの手掛け部ｐに手指を引っ掛けて開閉することができる。
【００１８】
前記中框５は、図２及び図３に示すように左右２枚の縦枠部材６ａと上下２枚の横枠部材６ｂで四方向を囲み、その中に空間部ｓを有する開口枠６とし、縦枠部材６ａ横枠部材６ｂにはそれぞれ開口へ向かう手掛け部ｐを手掛かりとするに十分な深さで設けるとともに、ほぼ真ん中に屈曲部Ｄを有する略クランク型の仕切り板ｋを手掛け部ｐに固定し、前記空間部ｓをおよそ等分に仕切ったものである。前記縦枠横枠部材に設けた手掛け部ｐと前記仕切り板ｋとその屈曲部Ｄに囲まれて、手掛かりとするに十分な深さの手掛け凹部ｍが扉の前後の両方から形成されている。
【００１９】
このように前記仕切り板ｋにより仕切られた空間部ｓと手掛け部ｐ、手掛け凹部ｍにより扉開閉時のための手指の操作に十分な空間が確保でき、さらに開口枠６の右あるいは左と上下の３カ所に手掛け部ｐを設けることができる。
【００２０】
前記仕切り板ｋは図４の（イ）（ロ）に示すように左右方向のクランク型であってもよいし、又図５の（ハ）に示すように上下方向のクランク型であってもよい。仕切り板ｋは不透明材で構成し、手掛け部ｐに接するように固着することで、間仕切り扉の前後の完全な遮光と遮音を達成することができる。
【００２１】
しかし必要に応じて透明材を用いて、間仕切りした前後の部屋の様子が見られるようにすることもできる。また、仕切り板ｋの縦幅を開口枠６の内法高さと同じとし、仕切り板ｋを左右の縦枠部材６ａの手掛け部ｐ内に固着してもよい。このような手段は光や音の遮蔽には不完全であるが製造し易くコスト的にも大変有利である。
【００２２】
【発明の効果】
以上のように、本発明に係る間仕切り用折り畳み扉によれば、戸板を構成する中框と前記中框が左右２枚の縦枠部材と上下２枚の横枠部材で四方向を囲まれてなる空間部を有し、該空間部を略クランク型を有する仕切り板によって左右略等分位置に仕切る構成とすることにより、戸板の前後両面いずれからでも十分な奥行きの手掛け凹部を設けることが可能であり、手掛け部も複数設けることができることから特にお年寄りや体の不自由な人でも手指を掛け易く開閉し易い間仕切り用折り畳み扉となる。
【図面の簡単な説明】
【図１】本発明の間仕切り用折り畳み扉の一実施形態を示す正面図。
【図２】図１のＡ−Ａ線拡大断面図。
【図３】図１のＢ−Ｂ線拡大断面図。
【図４】（イ）本発明の仕切り板の一例を示す斜視図。
（ロ）本発明の仕切り板の一例を示す斜視図。
（ハ）本発明の仕切り板の一例を示す斜視図。
【図５】（イ）（ロ）従来の戸板を示す側断面図。
【符号の説明】
１      折り畳み扉
２      戸板
３      枠体
３ａ    上框
３ｂ    下框
３ｃ    縦框
４      鏡板
５      中框
６      開口枠
６ａ    縦枠部材
６ｂ    横枠部材
７      蝶番
ｓ      空間部
ｍ      手掛け凹部
ｐ      手掛け部
ｋ      仕切り板
Ｄ      屈曲部
１１    戸板
１２    取手
１２ａ  水平部材
１３    鏡板
１４    仕切り板
１５    手掛け部
【図１】
0004151287.tif 000002
【図２】
0004151287.tif 000003
【図３】
0004151287.tif 000004
【図４】
0004151287.tif 000005
【図５】
0004151287.tif 000006